(57)【特許請求の範囲】
【請求項１】
下方に連成された排水管部を床壁に挿通させて、該床壁に付設されるドレイン受皿と、該ドレイン受皿上に固定されるストレーナとを備える中継用ドレインが各階の上下で一致する位置に配設され、上端を上階のドレイン受皿の排水管部に嵌装し、下端を下階のストレーナ内に挿入して各階の中継用ドレイン間に縦樋管を垂直に差し渡してなる中継用ドレイン装置において、
前記縦樋管の外径より径大な導入口を上端に備え、かつ、前記排水管部の上部開口径より径小な導出口を下端に備え、さらにドレイン受皿上に乗載される支持片を備えてなる誘導パイプが、前記支持片により位置保持されて、その導入口が縦樋管に外嵌することなくその下方に位置し、かつ、導出口と排水管部の開口縁との間に所要の流通間隙が生じるように、ストレーナ内に配設されていることを特徴とする中継用ドレイン装置における雨水飛散防止装置。
【請求項２】
支持片を、複数の通水孔を備えた円板状に形成して、誘導パイプの外周面に側方突成し、その外周縁を、ドレイン受皿と、該ドレイン受皿上に螺子で固定されるストレーナとの間に介装して挟持させたことを特徴とする請求項１に記載した中継用ドレイン装置における雨水飛散防止装置。
【請求項３】
支持片を、誘導パイプの外周面から外側下方に傾斜して下端がドレイン受皿上に当接する複数の帯板片によって構成したことを特徴とする請求項１に記載した中継用ドレイン装置における雨水飛散防止装置。
【発明の詳細な説明】
【０００１】
【発明の属する技術分野】
本発明は、各階の床壁に付設された中継用ドレイン間に上下に差し渡される縦樋管から下階のストレーナ内に雨水を放出する際に、その飛沫が外部へ飛散しないようにするための中継用ドレイン装置の雨水飛散防止装置に関する。
【０００２】
【従来の技術】
一般に、中継用ドレイン装置にあっては、図１に示すように、各階のバルコニー等の床壁Ａに挿通される排水管部３を下方に連成したドレイン受皿２上に、外周に通水孔４を多数形成したストレーナ５を乗載してなる中継用ドレイン１が、各床壁Ａ毎に上下で一致する位置に配設されるとともに、長尺の縦樋管８の上端を上階側のドレイン受皿２の排水管部３に嵌装し、下端を下階側の中継用ドレイン１のストレーナ５内に挿入した状態で支持片９によって保持することにより、各階の中継用ドレイン１，１間に縦樋管８が垂直に差し渡されている。そして、上階の中継用ドレイン１のストレーナ５から流入した雨水は、前記縦樋管８を通って下階の中継用ドレイン１に順次流されるようになっている。
【０００３】
ところで、前記縦樋管８から下階のストレーナ５内に雨水を放出する際に、その飛沫がストレーナ５に形成された通水孔４から外部へ飛散する。そこで、縦樋管８の下端に、前記ストレーナ５内で誘導パイプｐを嵌着し、雨水の飛散を防止するようにした構成が実公昭60-15816号において提案されている。かかる構成の誘導パイプｐは、図９に示すように、短管体の下部にテーパー管部ｔを設け、その上端部を縦樋管８に密嵌し、テーパー管部ｔを縦樋管８の先端から突出させるようにしてなるものである。
【０００４】
【発明が解決しようとする課題】
上述のように誘導パイプｐを用いた構成にあって、前記縦樋管８は、その上端をドレイン受皿２の排水管部３に嵌装し、下端をストレーナ５に挿入して上下階に差し渡されるものであるため、その寸法は、該上下階の床壁Ａ，Ａの間隔と近似する寸法となっている。ところが、上述のようにテーパー管部ｔを備えた誘導パイプｐを縦樋管８の下端に嵌着すると、該テーパー管部ｔが下方に突出することとなり、縦樋管８の実質長が長くなる。このため、図１０に示すように、縦樋管８の差し渡し作業は、縦樋管８の下端に誘導パイプｐを嵌着し、さらにストレーナ５を外嵌して予め固定した状態で、該縦樋管８を傾斜させ、上端を上階の中継用ドレイン１の排水管部３に嵌装した後、下端を横にずらして垂直にし、ストレーナ５を下階のドレイン受皿２上に固定するようにして、その施工を行なわなければならない。
【０００５】
このため、縦樋管８を上に押し揚げながら、無理やり垂直に戻すような操作が必要となって施工が面倒であると共に、その作業過程で排水管部３に嵌装された縦樋管８の上端が無理な力で変形し易いという問題点があった。
【０００６】
一方、上述のような下部にテーパー管部ｔを備えた誘導パイプｐ以外にも、図１１に示すように、下端に複数の半円状の通水口ｋを形成した短管体からなる誘導パイプｕが知られている。
【０００７】
かかる構成の誘導パイプｕにあっては、縦樋管８の差し渡し作業に際して、該縦樋管８に誘導パイプｕ及びストレーナ５を予め外嵌して、縦樋管８の下端よりも若干上方に位置させておくことにより、縦樋管８の実質長が長くなることはない。これにより、該縦樋管８の垂直状態を維持したままで、上端を上階のドレイン受皿２の排水管部３に嵌装することができ、下端を下階のドレイン受皿２内に位置させた状態で、前記誘導パイプｕ及びストレーナ５を順次下方に摺動させて、ストレーナ５をドレイン受皿２上に固定することができるので、その施工は比較的容易である。ところが、ストレーナ５の通水孔４から雨水が外部へ飛散しないようにするために、前記誘導パイプｕの下端をドレイン受皿２上に当接させ、かつ、該下端に形成される半円状の通水口ｋを小さいものにする必要があった。このため、床壁Ａ上からドレイン受皿２内に流入する雨水の排水能力が低下してしまい、しかも通水口ｋにゴミが詰まり易いという問題点があった。
【０００８】
本発明は、かかる従来の実状に鑑みてその改善を試みたものであって、施工性に優れ、排水能力が大きい雨水飛散防止装置を提供することを目的とするものである。
【０００９】
【課題を解決するための手段】
本発明は、下方に連成された排水管部を床壁に挿通させて、該床壁に付設されるドレイン受皿と、該ドレイン受皿上に固定されるストレーナとを備える中継用ドレインが各階の上下で一致する位置に配設され、上端を上階のドレイン受皿の排水管部に嵌装し、下端を下階のストレーナ内に挿入して各階の中継用ドレイン間に縦樋管を垂直に差し渡してなる中継用ドレイン装置において、前記縦樋管の外径より径大な導入口を上端に備え、かつ、前記排水管部の上部開口径より径小な導出口を下端に備え、さらにドレイン受皿上に乗載される支持片を備えてなる誘導パイプが、前記支持片により位置保持されて、その導入口が縦樋管に外嵌することなくその下方に位置し、かつ、導出口と排水管部の開口縁との間に所要の流通間隙が生じるように、ストレーナ内に配設されていることを特徴とする中継用ドレイン装置における雨水飛散防止装置である。
【００１０】
かかる構成にあって、ストレーナ内に配設された誘導パイプは、その下端の導出口が排水管部の上部開口径より径小に形成されており、該導出口を排水管部の開口縁との間に所要の流通間隙が生じるように臨ませていることにより、床壁上からストレーナを介してドレイン受皿内に流入する雨水を、前記流通間隙から排水管部へ円滑に排水することができる。ここで、流通間隙を大きく設定できるので排水能力が低下することがなく、該流通間隙にゴミが詰まることもない。また、誘導パイプの上端の導入口は、縦樋管の外径より径大に形成されており、該導入口を縦樋管の下部位置に臨ませていることにより、縦樋管から流下する雨水を、該導入口で全て受け入れることができ、下端の導出口から排水管部へ流すことができる。これにより、雨水の飛沫が周囲の床面に飛散することはない。
【００１１】
一方、施工に際しては、縦樋管にストレーナを予め外嵌して、縦樋管の下端よりも若干上方に位置させるとともに、該縦樋管を垂直にして、その上端を上階のドレイン受皿の排水管部に嵌装し、この状態で縦樋管の下端と床壁との間に生じる間隙から誘導パイプを下階のドレイン受皿上に装入する。次にストレーナを下方に摺動させることにより、該ストレーナ内に誘導パイプを配設することができる。これにより、施工を極めて容易に行うことができる。
【００１２】
また、上記構成にあって、ストレーナ内に配設される誘導パイプを所要高さ位置に保持するために、ドレイン受皿上に乗載される支持片を、誘導パイプに設けるようにしているから、誘導パイプの安定した保持が可能となる。
【００１３】
さらに、上記支持片を、複数の通水孔を備えた円板状に形成し、該支持片の外周縁を、ドレイン受皿と、該ドレイン受皿上に螺子で固定されるストレーナとの間に介装して挟持させるようにしてもよい。これにより誘導パイプを固定することができ、またこのように、支持片を単一の円板状にすることにより、分割形成したものに比して、複数の支持片の高さ合せが不要となり、誘導パイプに対する取付けを容易に行うことができる。また、単一体であるため、堅牢性が向上する。
【００１４】
また、上記構成にあって、ストレーナ内に配設される誘導パイプを所要高さ位置に保持するための支持片を、誘導パイプの外周面から外側下方に傾斜して下端がドレイン受皿上に当接する複数の帯板片によって構成するようにしてもよい。かかる構成にあっては、複数の帯板片の下端がドレイン受皿上に当接する状態で誘導パイプをドレイン受皿上に載置するだけで、該誘導パイプを所定位置に簡単に位置決めすることができる。
【００１５】
【発明の実施の形態】
以下に、本発明の一実施例を図１〜図４に従って説明する。
図１に示すように、各階のバルコニー等の床壁Ａには、下方に排水管部３が連成されたドレイン受皿２が、排水管部３を床壁Ａに挿通させた状態で各床壁Ａ毎に上下で一致する位置に付設されている。このドレイン受皿２上には、図４に示すように、外周に通水孔４が多数形成され、その上部に押付螺子７を螺合する螺子孔６が等間隔で三個形成されたストレーナ５が乗載されている。該ストレーナ５は、その下端鍔縁の透孔１０に挿通した複数の螺子１１を、ドレイン受皿２に部分的に形成されている支持段部１２の螺子孔１２ａに夫々螺合させることにより、ドレイン受皿２上に固定されるようになっている。そして、これによって中継用ドレイン１が構成されている。
【００１６】
また、前記上下階の中継用ドレイン１には、縦樋管８が垂直に差し渡されている。該縦樋管８は、その上端を上階のドレイン受皿２の排水管部３に嵌装され、下端を下階のストレーナ５内に挿入されている。そして、該ストレーナ５内には、縦樋管８の下部位置に、本発明に係る雨水飛散防止装置を構成する誘導パイプ１３が配設されている。
【００１７】
該誘導パイプ１３は、前記縦樋管３の外径より径大な導入口１４ａを上端に備え、かつ、前記排水管部３の上部開口径より径小な導出口１４ｂを下端に備えたテーパ状の短筒体からなり、その外周面には、誘導パイプ１３を所要高さ位置に保持するための円板状の支持片１５が側方突成されている。該支持片１５には、図３に示すように、複数の通水孔１６が周方向に沿って形成されており、また、その外周縁の１８０°異なる位置で、前記ドレイン受皿２の支持段部１２の螺子孔１２ａに一致する位置に、前記螺子１１を挿通し得る略半円状の切欠部１７が夫々形成されている。さらに、支持片１５の中央部には、該支持片１５を誘導パイプ１３に下方から外嵌し得る取付け孔１８が形成されており、該取付け孔１８の孔縁には、誘導パイプ１３の外周面に沿って屈曲させた複数の連結舌片１９が突成されている。
【００１８】
ここで、誘導パイプ１３及び支持片１５を、ステンレス等の耐腐食性金属板を素材に用いて形成した場合には、前記連結舌片１９を誘導パイプ１３の外周面に溶接することによって、支持片１５を誘導パイプ１３に固着することができる。また、誘導パイプ１３及び支持片１５を、硬質合成樹脂を素材に用いて形成した場合には、前記連結舌片１９を誘導パイプ１３の外周面に接着剤で接合することによって、支持片１５を誘導パイプ１３に固着することができる。また、硬質合成樹脂の場合には、誘導パイプ１３及び支持片１５を一体成形することも可能である。
【００１９】
そして、前記支持片１５の外周縁を、ドレイン受皿２と、該ドレイン受皿２上に螺子１１で固定されるストレーナ５との間に介装して挟持させることにより、導入口１４ａを縦樋管８の下部位置に臨ませ、かつ、導出口１４ｂを排水管部３の開口縁との間に所要の流通間隙ｓが生じるように臨ませた状態で、誘導パイプ１３をストレーナ５内に配設し得るようになっている。
【００２０】
次に、前記縦樋管８と誘導パイプ１３の施工手順について説明する。かかる施工に際しては、先ず、縦樋管８にストレーナ５を外嵌して、縦樋管８の下端よりも若干上方に位置させるとともに、該縦樋管８を垂直にして、その上端を上階のドレイン受皿２の排水管部３に嵌装する。そして、この状態で縦樋管８の下端と床壁Ａとの間に生じる間隙から誘導パイプ１３をドレイン受皿２上に装入する。ここで、誘導パイプ１３の支持片１５の外周縁を、ドレイン受皿２の支持段部１２に支承させるとともに、該支持片１５の外周縁に形成されている切欠部１７を、支持段部１２の螺子孔１２ａに夫々一致させるようにする。次いで、ストレーナ５を下方に摺動させて、その下端鍔縁を支持片１５の外周縁に上方から当接させ、この状態で該下端鍔縁の透孔１０に螺子１１を挿通し、その先端をドレイン受皿２の支持段部１２の螺子孔１２ａに夫々螺合させる。これにより、ストレーナ５が固定されるとともに、支持片１５の外周縁が、ドレイン受皿２の支持段部１２とストレーナ５の下端鍔縁とによって挟持されることとなり、誘導パイプ１３が所要高さ位置に安定的に保持される。然る後、ストレーナ５に形成された螺子孔６に押付螺子７を螺着して、その先端を縦樋管８の周面に圧接させて固定する一方、縦樋管８を支持片９によって保持することにより、施工が完了する。
【００２１】
このように、縦樋管８は、垂直状態を維持して取付け作業ができ、さらに、誘導パイプ１３は、縦樋管８に外嵌することなく、縦樋管８の下端と床壁Ａとの間に生じる間隙からドレイン受皿２上に装入してストレーナ５とともに螺子１１でドレイン受皿２に固定し得るから、その施工を極めて容易に行うことができる。
【００２２】
そして、かかる施工状態にあって、図１に示すように、ストレーナ５内に配設された誘導パイプ１３は、その下端の導出口１４ｂが排水管部３の上部開口径より径小に形成されており、該導出口１４ｂを排水管部３の開口縁との間に所要の流通間隙ｓが生じるように臨ませていることにより、床壁Ａ上からストレーナ５を介してドレイン受皿２内に流入する雨水を、前記流通間隙ｓから排水管部３へ円滑に排水することができる。ここで、流通間隙ｓは大きく設定できるので、床壁Ａ上から流入する雨水の排水能力が低下することがなく、該流通間隙ｓにゴミが詰まることもない。また、誘導パイプ１３の上端の導入口１４ａは、縦樋管８の外径より径大に形成されており、該導入口１４ａを縦樋管８の下部位置に臨ませていることにより、縦樋管８から流下する雨水を、該導入口１４ａで全て受け入れることができ、誘導パイプ１３の案内作用を介して下端の導出口１４ｂから排水管部３へ流すことができる。これにより、雨水の飛沫が周囲の床面に飛散することはない。
【００２３】
尚、上記実施例では、誘導パイプ１３の支持片１５を、単一の円板状に形成しているが、これに代えて、複数の帯板片からなる支持片１５を誘導パイプ１３の外周面に夫々側方突成させて構成することもできる。この場合には通水孔１６の穿孔作業が不要となる。
【００２４】
図５〜図７に、かかる複数の帯板片２０，２０からなる支持片１５を備えた誘導パイプ１３の変形実施例を示す。この実施例は、図５，図６に示すように、支持片１５が、誘導パイプ１３の外周面から外側下方に傾斜する左右一対の帯板片２０，２０によって構成されており、図７に示すように、該帯板片２０，２０の下端をドレイン受皿２上で支持段部１２のない受皿面上に当接させることにより、誘導パイプ１３を所要高さ位置に保持し得るようになっている。また、誘導パイプ１３の上端は、ストレーナ５内で所要高さ位置に保持された状態で、該ストレーナ５の内周面に当接し得る外径となっている。これにより、帯板片２０，２０の下端がドレイン受皿２上に当接する状態で誘導パイプ１３をドレイン受皿２上に載置するだけで、誘導パイプ１３がガタ付くことなく、該誘導パイプ１３を所定位置に簡単に位置決めすることができるようになっている。
【００２５】
尚、この変形実施例では、支持片１５を左右一対の帯板片２０，２０によって構成しているが、該支持片１５は、等間隔で配設される３枚以上の帯板片としてもよい。この場合には、誘導パイプ１３の自立が可能であるため、必ずしも上記のように誘導パイプ１３の上端をストレーナ５の内周面に当接させて支持する必要はない。
【００２６】
また、上記両実施例では、誘導パイプ１３をテーパ状に形成しているが、該誘導パイプ１３は、図８に示すように、傾斜段部１４ｃを介して下部側が小径となる異形断面の短筒体によって構成することも可能である。
【００２７】
【発明の効果】
本発明は、上述したように、縦樋管８の外径より径大な導入口１４ａを上端に備え、かつ、排水管部３の上部開口径より径小な導出口１４ｂを下端に備えてなる誘導パイプ１３を、その導入口１４ａを縦樋管８の下部位置に臨ませ、かつ、導出口１４ｂを排水管部３の開口縁との間に所要の流通間隙ｓが生じるように臨ませた状態で、ストレーナ５内に配設したものであるから、縦樋管８から流下する雨水を、誘導パイプ１３の導入口１４ａで全て受け入れて、該誘導パイプ１３の案内作用を介して下端の導出口１４ｂから排水管部３へ流すことができる。これにより、周囲の床面への雨水の飛散を防止することができる。
【００２８】
そして、本発明にあっては、誘導パイプ１３の導出口１４ｂを排水管部３の開口縁との間に所要の流通間隙ｓが生じるように臨ませていることにより、床壁Ａ上からストレーナ５を介してドレイン受皿２内に流入する雨水を、前記流通間隙ｓから排水管部３へ円滑に排水することができ、該流通間隙ｓを大きく設定できるので、床壁Ａ上から流入する雨水の排水能力が低下せず、該流通間隙ｓにゴミが詰まることもない。
【００２９】
また、縦樋管８は、垂直状態を維持して取付け作業ができる一方、誘導パイプ１３は、縦樋管８に外嵌することなく、縦樋管８の下端と床壁Ａとの間に生じる間隙からドレイン受皿２上に装入することによってストレーナ５内に配設し得るから、優れた施工性が得られる。
【００３０】
さらに、ストレーナ５内に配設される誘導パイプ１３を所要高さ位置に保持するために、ドレイン受皿２上に乗載される支持片１５を、誘導パイプ１３の外周面に側方突成したから、該支持片１５によって誘導パイプ１３を安定して保持することができる。
【００３１】
また、上記支持片１５を、複数の通水孔１６を備えた円板状に形成し、該支持片１５の外周縁を、ドレイン受皿２と、該ドレイン受皿２上に螺子１１で固定されるストレーナ５との間に介装して挟持させるようにすれば、誘導パイプ１３を固定することができ、また、支持片１５を分割形成したものに比して、複数の支持片１５の高さ合せが不要となり、誘導パイプ１３に対する取付けを容易に行うことができるとともに、単一体であるため、堅牢性が向上する。
【００３２】
さらに、支持片１５を、誘導パイプ１３の外周面から外側下方に傾斜して下端がドレイン受皿２に当接する複数の帯板片２０，２０によって構成すれば、該帯板片２０，２０の下端がドレイン受皿２に当接する状態で誘導パイプ１３をドレイン受皿２上に載置するだけで、該誘導パイプ１３を所定位置に簡単に位置決めすることができる。
【図面の簡単な説明】
【図１】本発明に係る雨水飛散防止装置を適用した中継用ドレイン装置の施工状態の縦断面図である。
【図２】雨水飛散防止装置を構成する誘導パイプの拡大縦断面図である。
【図３】同上の誘導パイプの拡大平面図である。
【図４】ストレーナの斜視図である。
【図５】変形実施例にかかる誘導パイプの拡大縦断面図である。
【図６】同上の誘導パイプの拡大平面図である。
【図７】同上の誘導パイプの施工状態の縦断面図である。
【図８】他の形態からなる誘導パイプの施工状態の縦断面図である。
【図９】従来構成の誘導パイプｐの斜視図である。
【図１０】従来構成の施工過程の説明図である。
【図１１】従来の他の構成からなる誘導パイプｕの施工状態の縦断面図である。
【符号の説明】
１  中継用ドレイン
２  ドレイン受皿
３  排水管部
５  ストレーナ
８  縦樋管
１１  螺子
１３  誘導パイプ
１４ａ  導入口
１４ｂ  導出口
１５  支持片
１６  通水孔
２０  帯板片
Ａ  床壁
ｓ  流通間隙
【図１】
0003762265.tif 000002
【図２】
0003762265.tif 000003
【図３】
0003762265.tif 000004
【図４】
0003762265.tif 000005
【図５】
0003762265.tif 000006
【図６】
0003762265.tif 000007
【図７】
0003762265.tif 000008
【図８】
0003762265.tif 000009
【図９】
0003762265.tif 000010
【図１０】
0003762265.tif 000011
【図１１】
0003762265.tif 000012